(57)【要約】【課題】  マンホールに接続される流入管が複数ある場合にも、縦管に流入する流体を円滑に螺旋案内路へと導くことのできる螺旋案内路付き縦管の流入部構造を提供する。【解決手段】  マンホール１の上部管壁には複数の流入管１１，１２が高低差を有するようにそれぞれ接続され、縦管本体２１の上部に各流入管１１，１２に対応する流入口２３，２３が設けられている。そして、各流入管１１，１２の端部から流下する流体が縦管本体２１にスムーズに流入するように、マンホール１内面と縦管本体２１の外面とを接続して流体を導く案内壁３１が、上部スラブ１３に立設されて流入部３が形成されている。【選択図】  図１
2008190250.tif 000002
【特許請求の範囲】
【請求項１】
マンホール内に直管状の縦管本体が設置され、この縦管本体内に流入させた流体を螺旋状に流下させる螺旋案内路が設けられた螺旋案内路付き縦管の流入部構造であって、
マンホールの上部管壁には複数の流入管が高低差を有するようにそれぞれ接続され、縦管本体の上部に各流入管に対応する流入口が設けられるとともに、これらの流入口よりも下部位置においてマンホール内面と縦管本体の外周面との間に上部スラブが配設され、前記縦管本体内の螺旋案内路の中心部には中心筒が設けられ、この中心筒の上端が最上位の流入管の管頂よりも上方に延出され、
マンホールに接続された各流入管の端部から流下する流体が前記縦管本体にスムーズに流入するように、マンホール内面と縦管本体の外面とを接続して流体を導く案内壁が前記上部スラブに立設されて流入部が形成されており、
前記案内壁は一の流入管に対してそれぞれ一対の壁体が上部スラブに立設され、一方の壁体は流入管の外縁部から流入管の進入方向に配設されて縦管本体に外接するように形成されるとともに、他方の壁体は流入管の外縁部から縦管本体の中心筒方向に配設されて縦管本体の流入口に接続されていることを特徴とする螺旋案内路付き縦管の流入部構造。
【請求項２】
前記縦管本体内の螺旋案内路の始端部には、流入管から縦管本体内に流入した流体を螺旋案内路の回転方向に導くためのガイド板が、縦管本体の半径方向に配設されるとともに中心筒の外周面および縦管本体の内周面に一体的に形成されており、
前記流入管はこのガイド板に直交する方向から縦管本体に接続されて、前記案内壁の一方の壁体はガイド板に直交するように配設されていることを特徴とする請求項１に記載の螺旋案内路付き縦管の流入部構造。
【請求項３】
前記案内壁の他方の壁体は、流入管の外縁部と縦管本体内のガイド板辺縁部とを結ぶ直線上に配設されていることを特徴とする請求項１または２に記載の螺旋案内路付き縦管の流入部構造。
【請求項４】
前記流入管は縦管本体を挟んで対向する方向からマンホールに接続されており、流入管と案内壁によって形成される流入部とが上面視略Ｋ字状に配設されていることを特徴とする請求項１〜３のいずれかに記載の螺旋案内路付き縦管の流入部構造。
【請求項５】
前記流入部の底部にはインバートが設けられていることを特徴とする請求項１〜４のいずれかに記載の螺旋案内路付き縦管の流入部構造。
【発明の詳細な説明】
【技術分野】
【０００１】
本発明は、高低差を有する垂直下水管路に使用して、自然流下する水流を減衰させる螺旋案内路付き縦管の流入部構造に関する。
【背景技術】
【０００２】
従来、例えば特許文献１に記載されているように、マンホールの側壁からマンホール内に突出された流入管の一端に縦管の上端を接続し、縦管の下端をマンホール内の底部に設置して、流入管によりマンホール内に流入された下水を縦管に導入する技術が知られている。下水道において流域下水道の幹線は、地中の比較的深い位置に計画されており、関連公共下水道との接続点では高落差接合となっている。
【０００３】
このため、一つのマンホール内で高落差処理を行う場合には、マンホール内に設けられる縦管が長くなるので、縦管下端から流出される下水の落下衝撃が大きく、マンホールの底部を損傷するおそれがあった。
【０００４】
そこで、例えば特許文献２に記載されているように、縦管本体の内面に沿って上端から下端まで、螺旋状に形成された螺旋案内板を形成した縦管（ドロップシャフト）を配置する方法が採用されている。
【０００５】
この種の縦管には、垂直に配設された直管状の縦管本体に対して、下水を螺旋状に旋回させて流下させる螺旋案内路が設けられている。これにより、マンホール内に流入した下水の流下エネルギーを減衰させて、流下した下水によって縦管底部が強い衝撃や荷重を受けるのを避けるとともに、強度を確保することによって底部の摩耗も抑制しうるように形成されている。また、螺旋案内路の軸芯部には、螺旋案内路に案内される下水中に含む空気を上方に排除するための中空状の中心筒（空気抜き芯筒）が設けられている。
【０００６】
このような螺旋案内路付き管では、その上端部に流入する下水が、螺旋案内路に沿って流下する間に減衰される。したがって、マンホールの底部は、流下水の荷重や衝撃によっても破損や摩耗が抑制されるようになっている。
【０００７】
例えば、図３に示すように、上流側水平管路１０２から下水流水平管路１０３まで、高低差を有する下水路の連結に用いられる縦管１０１が、縦方向に沿ってマンホール１０内に設けられている。
【０００８】
このマンホール１０は、維持管理のため、点検を行う作業員が進入可能な空間部１０４を有していて、縦方向の中間部に作業用の中間スラブ１０５も設けられている。
【０００９】
前記縦管１０１は、上流側水平管路１０２から延設される流入管１０２ａが接続部１０６を経て、順次、下方に向けて上部螺旋案内路１０７、中間案内路１０８、下部螺旋案内路１０９とを有する縦管本体１１０に接続されて構成されている。このうち、上部螺旋案内路１０７には中空の中心筒１０７ａの周囲に螺旋案内板１０７ｂが設けられ、下部螺旋案内路１０９にも、螺旋案内板１０９ａが設けられている。
【特許文献１】実開平４−５３８４２号公報
【特許文献２】特開平８−４１９１５号公報
【発明の開示】
【発明が解決しようとする課題】
【００１０】
ところが、マンホールに接続される流入管は１本とは限らず、複数本の水平管路がマンホールに集合している構造をとる場合もあり、その場合には、水平管路および流入管ごとに縦管を設け、それぞれから下水を流下させて減勢を行う必要があった。
【００１１】
そうすると、一つのマンホールの内部空間に複数本の縦管が配置されることになり、縦管の配置に要する空間が大きくなって、マンホールが大型化してしまうという不都合を生じることになる。
【００１２】
これを解消するために、例えば、マンホールの内部空間に比較的口径の大きい縦管を１本設けて、複数本の流入管をそれに接続することが考えられる。しかしながら、流入管はそれぞれに埋設深さが異なったり、接続方向（流入方向）が異なったりするため、流入管から流入する下水を円滑に螺旋案内路に導いて旋回流を形成することが困難になる。また、複数本の流入管から下水を流入させることによって、下水が激しく螺旋案内板に落下衝突して、螺旋案内板を損傷してしまうおそれもあった。
【００１３】
そこで本発明は、上記のような問題点にかんがみてなされたものであり、マンホールに接続される流入管が複数ある場合にも、縦管に流入する流体を円滑に螺旋案内路へと導くことのできる螺旋案内路付き縦管の流入部構造を提供するものである。
【課題を解決するための手段】
【００１４】
上記した目的を達成するため、本発明に係る螺旋案内路付き縦管の流入部構造は、マンホール内に直管状の縦管本体が設置され、この縦管本体内に流入させた流体を螺旋状に流下させる螺旋案内路が設けられている。前記マンホールの上部管壁には複数の流入管が高低差を有するようにそれぞれ接続され、縦管本体の上部に各流入管に対応する流入口が設けられるとともに、これらの流入口よりも下部位置においてマンホール内面と縦管本体の外周面との間に上部スラブが配設され、前記縦管本体内の螺旋案内路の中心部には中心筒が設けられ、この中心筒の上端が最上位の流入管の管頂よりも上方に延出され、マンホールに接続された各流入管の端部から流下する流体が前記縦管本体にスムーズに流入するように、マンホール内面と縦管本体の外面とを接続して流体を導く案内壁が前記上部スラブに立設されて流入部が形成されている。そして、前記案内壁は、一の流入管に対してそれぞれ一対の壁体が上部スラブに立設されており、一方の壁体は流入管の外縁部から流入管の進入方向に配設されて縦管本体に外接するように形成されるとともに、他方の壁体は流入管の外縁部から縦管本体の中心筒方向に配設されて縦管本体の流入口に接続されていることを特徴としている。
【００１５】
このような発明により、流入管から流入した流体は、案内壁に導かれて流入部を経てスムーズに縦管へと流入する。そして、複数の流入管があっても、流入部によって適切に縦管本体の流入口へと導くことが可能であるので、乱れを生じることなく落差処理を行うことができる。また、このような案内壁の構成により、流体をスムーズに縦管本体の流入口へと導くことができるとともに、上部スラブを案内壁が区画して流体の進入域が限定されるので、流入部以外の部分をメンテナンススペースとして使用することが可能になる。
【００１６】
また、前記縦管本体内の螺旋案内路の始端部には、流入管から縦管本体内に流入した流体を螺旋案内路の回転方向に導くためのガイド板が、縦管本体の半径方向に配設されるとともに中心筒の外周面および縦管本体の内周面に一体的に形成されており、前記流入管はこのガイド板に直交する方向から縦管本体に接続されて、前記案内壁の一方の壁体はガイド板に直交するように配設されていることが好ましい。さらに、前記案内壁の他方の壁体は、流入管の外縁部と縦管本体内のガイド板辺縁部とを結ぶ直線上に配設されていることが好ましい。
【００１７】
このように構成されることにより、各流入管から流入する流体が自ずと縦管本体の流入口へと流れ込み、縦管本体内でガイド板に当たって流下し、乱れを生じることなく螺旋案内路にスムーズに導かれて、旋回流を形成するのを容易にすることができる。
【００１８】
また、本発明において、前記流入管は縦管本体を挟んで対向する方向からマンホールに接続されており、流入管と案内壁によって形成される流入部とが上面視略Ｋ字状に配設されていてもよい。
【００１９】
この場合、流入管からの流入水は反対方向から縦管本体に流入することになるが、かかる流入部の構造を採用することにより、流入部の乱れを生じることなく、流入水制御を行うことが可能になる。
【００２０】
また、前記流入部の底部にはインバートが設けられていてもよく、底部の損傷を防いでスムーズな流れを形成することが可能になる。
【発明の効果】
【００２１】
上述のように構成される本発明の螺旋案内路付き縦管の流入部構造によれば、マンホールに接続される流入管が複数ある場合にも、マンホールを大型化することなく、限られたスペース内で、縦管に流入する流体を円滑に螺旋案内路へと導く構造を実現でき、縦管の損傷を防止し、メンテナンススペースも確保することができる。
【発明を実施するための最良の形態】
【００２２】
以下、本発明に係る螺旋案内路付き縦管の流入部構造を実施するための最良の形態について、図面を参照しつつ説明する。
【００２３】
図１および図２は本発明の螺旋案内路付き縦管の流入部構造の一例を示し、図１はマンホール内に設置された縦管を横断面により示す説明図、図２は前記マンホール内を縦断面により示す説明図である。
【００２４】
なお、各図においては図面を見やすくするために、縦管本体２１内の中心筒２４やガイド板２５等の構成部材には断面を示すハッチングを省略して記載している。
【００２５】
図示するように、マンホール１内には、下水道用管として直管状の縦管２が１本設置されている。縦管２は、下方に向けて上部螺旋案内路２２、図示しない中間案内路および下部螺旋案内路等を有する縦管本体２１が順次接続されて構成されている。
【００２６】
図１では、縦管本体２１の上部の構造を示しており、このうち、符号２２は縦管本体２１内に設けられた上部螺旋案内路を示している。螺旋案内路２２の螺旋のピッチは、縦管本体２１の長さや、流下させる流体の必要速度に応じて、適宜選択される。
【００２７】
マンホール１の上部管壁には、複数本の流入管１１，１２が高低差を有するようにそれぞれ接続されている。例示の形態では、第１の流入管１１が第２の流入管１２より高位置においてマンホール１に接続されており、縦管本体２１を挟んで互いに対向する方向から流体を流入させるように配置されている。
【００２８】
縦管本体２１の上部には、各流入管１１，１２に対応する流入口２３，２３が設けられている。また、これらの流入口２３，２３よりも下部位置において、マンホール１内面と縦管本体２１の外周面との間に上部スラブ１３が配設されている。
【００２９】
上部スラブ１３は、マンホール１内の維持管理スペースをマンホール１内に形成し、維持管理のために縦管本体２１の下部へ作業者が降りて行くための出入孔１３１も設けられている。
【００３０】
縦管本体２１内の上部螺旋案内路２２の中心部には、内部が中空とされた中心筒（空気抜き芯筒）２４が設けられている。この中心筒２４は、例えば縦管本体２１の約１／３の口径を有する円筒管であり、縦管本体２１と同心となるように配設されている。中心筒２４の上端は、流入管１１，１２のうち最上位に接続されている第１の流入管１１の管頂よりも上方位置まで延出されている。
【００３１】
この中心筒２４の上部側面にはガイド板２５が設けられている。このガイド板２５は、縦管本体２１内の螺旋案内路２２の始端部から上方に向かって立設されており、流入管１１，１２から縦管本体２１内に流入した流体を螺旋案内路２２の回転方向に導くために配置されている。すなわち、流入した下水をガイド板２５に衝突させて、流下エネルギーを減衰させるとともに、縦管本体２１の周方向に沿って一方向のみに旋回させることを可能にし、下水を円滑に流下させるために設けられている。
【００３２】
図１に示すように、例示のガイド板２５は、縦管本体２１の半径方向に配設されて縦管本体２１内を区画し、中心筒２４の外周面および縦管本体２１の内周面に一体的に形成されている。そして、このガイド板２５に対して直交する方向から、流入管１１，１２が縦管本体２１に接続されている。
【００３３】
また、本発明において、マンホール１内の上部スラブ１３には、マンホール１内面と縦管本体２１の外面とを接続して流体を導くコンクリート製の案内壁３１が立設されている。この案内壁３１は、１本の流入管１１，１２に対してそれぞれ一対の壁体３１１，３１２を配設することで構成されている。
【００３４】
案内壁３１の一方の壁体３１１は、流入管１１，１２の各外縁部からそれぞれの流入管１１，１２の進入方向に配設されて、縦管本体２１に外接するように配置形成されている。すなわち、図１に示すように、この案内壁３１の一方の壁体３１１は、縦管本体２１内のガイド板２５に直交する方向に配設されている。
【００３５】
また、案内壁３１の他方の壁体３１２は、流入管１１，１２の外縁部から縦管本体２１の中心筒２４の方向へ配設されて、縦管本体２１の流入口２３に接続されている。より具体的には、図１に示すように、案内壁３１の他方の壁体３１２は、中心筒２４側面とガイド板２５辺縁部との交差部と、流入管１１，１２の各外縁部とを結ぶ直線上に配設されていることが好ましい。
【００３６】
さらに、図示する形態においては、一方の壁体３１１と縦管本体２１との接続部近傍に、テーパー部３１１ａが添設されており、流体がより一層、縦管本体２１の流入口２３へ流入しやすいように構成されている。
【００３７】
案内壁３１の設置高さは、流入管１１の管頂の高さ位置により決定すればよく、超過流入水がある場合を考慮して、適宜の余裕高さを加えて選択されることが好ましい。
【００３８】
このような案内壁３１により、流入管１１，１２から縦管本体２１への流体の流入部３がそれぞれ形成され、マンホール１に接続された各流入管１１，１２の端部から流下する流体が縦管本体２１にスムーズに流入するように構成されている。
【００３９】
また、図１に示すように、この場合には、２本の流入管１１，１２は、縦管本体２１を挟んで対向する方向からマンホール１に接続されているので、流入部３が流入管１１，１２と案内壁３１とによって上面視略Ｋ字状をなすように配設されて形成されている。
【００４０】
さらに、案内壁３１により形成された流入部３の底には、溝形状のインバート３２が設けられていてもよい。インバート３２を設けることにより、流入管１１，１２から縦管本体２１の流入口２３までのそれぞれの区間に勾配を設けたり、流れを流入口２３へと導入しやすくしたりすることが可能になる。また、インバート３２を設けることで、上部スラブ１３の上面を保護することが可能になり、流入する下水の衝撃によって上部スラブ１３が破損するのを防止することができる。
【００４１】
このように流入部３が構成されることで、第１の流入管１１および第２の流入管１２からマンホール１内に流入した下水は、流入部３において案内壁３１およびインバート３２に導かれて縦管本体２１内に流入し、ガイド板２５に沿って流下しながら上部螺旋案内路２２に到達する。第１の流入管１１から流入した下水は、上部螺旋案内路２２の始端部近傍から流下し始め、第２の流入管１２から流下した下水は十分な流入落差をもって上部螺旋案内路２２へと流入し、第１の流入管１１から流入した下水と合流することになる。
【００４２】
これにより、複数本の流入管１１，１２が互いに異なる方向からマンホール１に接続されて、縦管２に下水を導く場合にも、流入部３において流入水制御が容易になり、流入水の乱れを生じることなく、必要な流入落差処理を行うことができてスムーズに上部螺旋案内路２２へと導くことが可能になる。また、上部スラブ１３が案内壁３１によって区画されているので、メンテナンス空間を確保することも可能となるものである。
【００４３】
なお、本発明は上記実施形態に限定されるものではなく、マンホールに複数本の流入管が接続されるケースであれば、２本の流入管が互いに対向する位置に配置されている場合に限らず、どのような場合も適用することが可能であり、マンホールの大型化を招くことなく下水のスムーズな流入落差処理を行うことができる。
【産業上の利用可能性】
【００４４】
本発明は、下水道において下水全量を流下させることのできる高落差接合のマンホールに設置する螺旋案内路式ドロップシャフトの縦管に好適に利用することができる。
【図面の簡単な説明】
【００４５】
【図１】本発明の螺旋案内路付き縦管の流入部構造の一例を横断面により示す説明図である。
【図２】前記マンホール内を縦断面により示す説明図である。
【図３】従来一般の縦管が地下構造物内に設けられている様子を説明する模式的な一部断面斜視図である。
【符号の説明】
【００４６】
１    マンホール
１１  第１の流入管
１２  第２の流入管
１３  上部スラブ
１３１  出入孔
２    縦管
２１  縦管本体
２２  上部螺旋案内路
２３  流入口
２４  中心筒
２５  ガイド板
３    流入部
３１  案内壁
３１１，３１２  壁体
３２  インバート
【図１】
2008190250.tif 000003
【図２】
2008190250.tif 000004
【図３】
2008190250.tif 000005